(57)【要約】【課題】便器本体の後方部分を容易に掃除することが可能となる洋式便器を提供する。【解決手段】便器本体１の両側面が着脱自在となる表面部材２で形成されており、この表面部材２は、ガイド手段によって、便器本体１の両側面に沿って前方へ引き出して取り外し得るようになっている洋式便器。又、ガイド手段は、表面部材２の裏側に設けられたレールであって、表面部材２は、レールによって支持されながら引き出されるようになっていることを特徴としている。【選択図】図１
2007262703.tif 000002
【特許請求の範囲】
【請求項１】
便器本体の両側面が着脱自在となる表面部材で形成されており、この表面部材は、ガイド手段によって、便器本体の両側面に沿って前方へ引き出して取り外し得るようになっている洋式便器。
【請求項２】
ガイド手段は、表面部材の裏側に設けられたレールであって、表面部材は、レールによって支持されながら引き出されるようになっていることを特徴とする請求項１記載の洋式便器。
【発明の詳細な説明】
【技術分野】
【０００１】
本願発明は、便器本体の両側面部分を取り外すことが可能である洋式便器に関するものである。
【背景技術】
【０００２】
従来から、特開２００３−０４１６４５号公報（特許文献１）に示されるように、便器本体の両側面部分を取り外すことが可能である洋式便器は知られている。この洋式便器は、図３に示すように、便器本体９１の両側面の後方部分が開口しており、この両側面開口９２を覆うように二枚の側板９３が骨組み体９４に螺子９５止めされて固定されている。
【０００３】
したがって、この洋式便器において便器本体９１の後方部分を掃除する際には、雑巾等で拭き取るか、ブラシ等で磨くなどして掃除していた。
【特許文献１】特開２００３−０４１６４５号公報
【発明の開示】
【発明が解決しようとする課題】
【０００４】
しかしながら、一般的に洋式便器が設置されるスペースは狭く、便器本体９１の側方に回り込んで掃除することは、ほとんど不可能である。したがって、上記従来例である洋式便器にあっては、特に、便器本体９１の両側面における後方部分を掃除する際において、腰を落とした状態で、便器本体９１の前方から後方部分まで手を伸ばして掃除する必要があり、大きな疲労を伴う作業となっていた。
【０００５】
又、側板９３は骨組み体９４に螺子９５止めされて固定されており、側板９３を取り外す作業に手間を要するため、側板９３を取り外して水洗い等により掃除する作業も容易ではない。
【０００６】
本願発明は、上記背景技術に鑑みて発明されたものであり、その課題は、便器本体の後方部分を容易に掃除することが可能となる洋式便器を提供することである。
【課題を解決するための手段】
【０００７】
上記課題を解決するために、本願請求項１記載の発明では、便器本体の両側面が着脱自在となる表面部材で形成されており、この表面部材は、ガイド手段によって、便器本体の両側面に沿って前方へ引き出して取り外し得るようになっている。
【０００８】
又、本願請求項２記載の発明では、上記請求項１記載の洋式便器において、ガイド手段は、表面部材の裏側に設けられたレールであって、表面部材は、レールによって支持されながら引き出されるようになっていることを特徴としている。
【発明の効果】
【０００９】
本願請求項１記載の洋式便器においては、便器本体の両側面が着脱自在となる表面部材で形成されているため、表面部材が螺子止めされて固定されているような場合に比べて、容易に表面部材を取り外すことができる。
【００１０】
又、表面部材を取り外して掃除することで、便器本体の両側面を楽な体勢で拭いたり磨いたりすることができ、特に、狭いスペースに設置された洋式便器において、便器本体の両側面における後方部分の掃除が非常に楽になるものである。更に、表面部材を取り外すことで水洗いすることもでき、便器本体をより清潔に保つことができる。
【００１１】
又、表面部材は、ガイド手段によって、便器本体の両側面に沿って前方へ引き出されるようになっているため、洋式便器が狭いスペースに設置されている場合においても、容易に表面部材を取り外すことができる。
【００１２】
又、本願請求項２記載の洋式便器においては、表面部材は、レールによって支持されながら引き出されるようになっているため、表面部材が左右に倒れることはなく、安定して引き出すことができる。
【発明を実施するための最良の形態】
【００１３】
図１、２は、本願請求項１、２に対応した一実施形態である洋式便器を示している。この洋式便器は、便器本体１の両側面が着脱自在となる表面部材２で形成されており、この表面部材２が、表面部材２の裏側に設けられたレールに支持されながら、便器本体１の両側面に沿って前方へ引き出して取り外し得るようになっている。
【００１４】
以下、この実施形態の洋式便器を、より具体的詳細に説明する。図１に示すように、この洋式便器は、便器本体１に便座と、便蓋７と、局部洗浄および便座を暖める装置ケース８とからなる本体付属部品が取り付けられたものである。便器本体１の内部には便器本体１の骨組みとなる枠体３が備えられており、便器本体１の両側面は枠体３に取り付けられた表面部材２で形成されている。表面部材２は枠体３から着脱自在となっており、枠体３の内部には、洋式便器の水洗構造９となるターントラップが備えられている。なお、この水洗構造９はサイホン式のものであってもよい。
【００１５】
図２に示すように、表面部材２の裏側には、ガイド手段となる固定レール２１、支持レール５及び接続部４が設けられている。具体的なガイド手段の構造を以下に記す。枠体３の両側面における上部には、バネ４１等で形成された一般的なプッシュプル式の接続部４が二つずつ設けられており、この接続部４の先端に支持レール５が備えられている。この支持レール５は、内側に押し込むことで、その反作用を接続部４から受けて、外側へと押し出されるようになっている。又、表面部材２の内側面２３には固定レール２１が設けられており、この固定レール２１を支持レール５に取り付けることで、表面部材２は枠体３に固定されている。更に、表面部材２の下面には、床に設けられたガイド６を通すようにガイド溝２２が設けられている。
【００１６】
表面部材２を取り外す際には、図２（ａ）に示すように、表面部材２を内側に押し込むことで、接続部４の作用により表面部材２が外側に押し出される。又、図２（ｂ）に示すように、押し出された表面部材２を、そのまま前方に引き出すことで、支持レール５及びガイド６に支持されながら表面部材２は取り外される。この際、表面部材２は、支持レール５、固定レール２１及びガイド６からなるガイド手段によって、便器本体１の側面に沿って引き出されるようになっている。
【００１７】
したがって、この実施形態の洋式便器においては、便器本体１の両側面が着脱自在となる表面部材２で形成されているため、表面部材２が螺子止めされて固定されているような場合に比べて、容易に表面部材２を取り外すことができる。
【００１８】
又、表面部材２は、プッシュプル式の接続部４によって枠体３に固定されており、内側に押し込むだけで、接続部４の作用により外側に押し出されるようになっているため、表面部材２に手掛かりとなる取手を設ける必要はない。したがって、便器本体１の外観を悪くすることなく、容易に表面部材２を取り外すことができる。
【００１９】
又、表面部材２を取り外して掃除することで、便器本体１の両側面を、楽な体勢で拭いたり磨いたりすることができ、特に、狭いスペースに設置された洋式便器において、便器本体１の両側面における後方部分の掃除が非常に楽になるものである。更に、表面部材２を取り外すことで水洗いすることもでき、便器本体１をより清潔に保つことができる。
【００２０】
又、表面部材２は、支持レール５、固定レール２１及びガイド６からなるガイド手段によって、便器本体１の両側面に沿って前方へ引き出されるようになっているため、洋式便器が狭いスペースに設置されている場合においても、容易に表面部材２を取り外すことができる。
【００２１】
又、表面部材２は、支持レール５及びガイド６によって支持されながら引き出されるようになっているため、表面部材２が左右に倒れることはなく、安定して引き出すことができる。
【図面の簡単な説明】
【００２２】
【図１】本願発明の一実施形態である洋式便器を示す分解斜視図。
【図２】同洋式便器における表面部材の取り付け構造を示す上面図。
【図３】従来例である洋式便器を示す分解斜視図。
【符号の説明】
【００２３】
１  便器本体
２  表面部材
【図１】
2007262703.tif 000003
【図２】
2007262703.tif 000004
【図３】
2007262703.tif 000005